(57)【要約】      （修正有）【課題】円柱状の弁体を利用した歯科用吸引装置において、使用中に弁体が抜けず、かつ清掃時は簡単に弁体を取り外し可能な吸引装置を提供する。【解決手段】歯科用吸引装置のドラム型弁体３の両端外周に刻設された抜け止め防止用溝に抜止め円筒体１２の下部に設けた板状突起を挿嵌して、弁箱２の側面に嵌設された弁体の横方向の移動をなくし、かつ前記抜け止め円筒体を取り出して弁体を弁箱より引き出し清掃を容易とした、抜け止め防止機構を有する。【選択図】図２
0003165571.tif 000002
【実用新案登録請求の範囲】
【請求項１】
口腔内の流体を吸引する歯科用吸引装置において、
ドラム型の弁体とその抜け止め防止機構を備えた開閉弁（２３）を流体通路（２２）の途中に備えてなることを特徴とする歯科用吸引装置。
【請求項２】
円柱の軸心に直交して貫設された流体通路の貫通孔（１８）を備えたドラム型の弁体（３）と、円筒壁（２ａ）に直交して前記ドラム型の弁体（３）が軸を中心に回動自在に挿嵌される貫通孔（１４）を有する円筒型の弁箱（２）とを備えてなり、
また、ドラム型の弁体（３）は円柱状をなし、同円柱両端部の外周には、抜け止め防止用の溝（１９）及びＯリング用溝（２０）が刻設され、かつ弁体（３）の片側端面には、弁体（３）を軸を中心に回動させる回転レバー（４）が軸心に直交して固設されてなり、
前記円筒型の弁箱（２）には、その先に接続されるノズルホースとの間に配置される本体継手（９）との接続部には、流体通路孔（１５）の外側に抜け止め円筒体（１２）を挿設するための、抜け止め円筒体の挿入溝（１７）が刻設され、該溝は前記挿嵌されたドラム型の弁体（３）の抜け止め防止用の溝（１９）の真上の位置の部分のみに矩形状のスリット（１６）が貫通されてなり、そして前記抜け止め円筒体（１２）は、該円筒外周の片側端の一部が相対する板状突起（２１）を形成し、抜け止め円筒体（１２）を弁箱（２）の前記抜け止め円筒体挿入溝（１７）より挿嵌すると、前記板状突起（２１）は前記矩形状のスリット（１６）を貫通して垂直に抜け止め防止用溝（１９）に挿嵌されることを特徴とする開閉弁を流体通路（２２）の途中に備えてなる請求項１に記載の歯科用吸引装置。
【請求項３】
前記弁体（３）を軸を中心に回動させる回転レバー（４）の可動範囲を９０度に制限するストッパー（５）が、弁箱（２）の外壁面に設けられてなることを特徴とする請求項１又は２に記載の歯科用吸引装置。
【考案の詳細な説明】
【技術分野】
【０００１】
本考案は、歯科診療における口腔内の吸引装置に関する。
【背景技術】
【０００２】
従来、歯科治療において、口腔内の歯や補綴物の切削や除去等の際に生じる粉塵や、唾液、薬液等を吸引する歯科用吸引装置には、開閉や吸引力を調整する弁が備えられ、たとえば円柱状の弁体を利用した歯科用吸引装置では、弁体の抜け止めとしてＯリングを利用したものや、弁体の両側をレバーで挟む方式のものがあった。
【先行技術文献】
【特許文献】
【０００３】
【特許文献１】特開２００６−２５８７０号公報
【考案の概要】
【考案が解決しようとする課題】
【０００４】
しかし、抜け止めとしてＯリングのみを利用したものは、使用中に円柱状の弁体が不用意に抜けやすい場合があった。
また、抜け止めとして、円柱状の弁体の両側をレバーで挟む方式では、清掃時に抜けにくく、無理にレバーを外そうとして破損させる場合があった。
本考案では、使用中に弁体が抜けることがなく、また清掃時には簡単に弁体を取り外すことができる歯科用吸引装置を提供する。
【課題を解決するための手段】
【０００５】
上記に鑑み本考案者は鋭意実験研究の結果、下記の手段により課題を解決した。
〈１〉口腔内の流体を吸引する歯科用吸引装置において、ドラム型の弁体とその抜け止め防止機構を備えた開閉弁（２３）を流体通路（２２）の途中に備えてなることを特徴とする歯科用吸引装置。
〈２〉円柱の軸心に直交して貫設された流体通路の貫通孔（１８）を備えたドラム型の弁体（３）と、円筒壁（２ａ）に直交して前記ドラム型の弁体（３）が軸を中心に回動自在に挿嵌される貫通孔（１４）を有する円筒型の弁箱（２）とを備えてなり、
前記円筒型の弁箱（２）には、その先に接続されるノズルホースとの間に配置される本体継手（９）との接続部には、流体通路孔（１５）の外側に抜け止め円筒体（１２）を挿設するための、抜け止め円筒体の挿入溝（１７）が刻設され、該溝は前記挿嵌されたドラム型の弁体（３）の抜け止め防止用の溝（１９）の真上の位置の部分のみに矩形状のスリット（１６）が貫通されてなり、そして前記抜け止め円筒体（１２）は、該円筒外周の片側端の一部が相対する板状突起（２１）を形成し、抜け止め円筒体（１２）を弁箱（２）の前記抜け止め円筒体挿入溝（１７）より挿嵌すると、前記板状突起（２１）は前記矩形状のスリット（１６）を貫通して垂直に抜け止め防止用溝（１９）に挿嵌されることを特徴とする開閉弁（２３）を流体通路（２２）の途中に備えてなる前記〈１〉項に記載の歯科用吸引装置。
〈３〉前記弁体（３）を軸を中心に回動させる回転レバー（４）の可動範囲を９０度に制限するストッパー（５）が、弁箱（２）の外壁面に設けられてなることを特徴とする前項〈１〉又は〈２〉に記載の歯科用吸引装置。
【考案の効果】
【０００６】
本願考案によれば次のような効果を発揮することができる。
１．請求項１の発明によれば、
口腔内の流体を吸引する歯科用吸引装置において、ドラム型の弁体とその抜け止め防止機構を備えてなるため、使用中に弁体が抜けることがなく、また清掃も簡単にできる。
特に歯科用吸引装置、例えばバキュームシリンジや、排唾器（サライバエジェクタ）等において、操作が安全であり、また清掃も容易で取り扱いに優れている。
２．請求項２の発明によれば、
抜け止め円筒体を前記弁箱の挿入溝より挿嵌すると、抜け留め円筒体の板状突起が弁箱内の矩形状のスリットを貫通して垂直に抜け止め防止溝に挿嵌されるため、ドラム型弁体は回転するが、左右には動かないので、操作時完全な抜け止め作用を発揮する。
そして、清掃時には、弁箱に螺合され、かつ抜け止め用円筒体を押さえている継手を取り外せば抜け止め円筒体を取り出すことができ、弁体をに引き出して容易に清掃することができる。
３．請求項３の発明によれば、
弁体を軸を中心に回転させる回転レバーの可動範囲を９０度に制限するストッパーが、前記弁箱の外壁面に設けられてなるため、開閉操作が確実で簡単である。
【図面の簡単な説明】
【０００７】
【図１】本発明の歯科用吸引装置の外観図
【図２】吸引装置本体の構成部材組図の外観斜視図
【図３】円筒型弁箱の外観斜視図
【図４】円筒型弁箱の外観図
【図５】円筒型弁箱の断面図
【図６】ドラム型弁体の外観斜視図
【図７】ドラム型弁体の外観図
【図８】抜け止め円筒体の外観斜視図
【図９】抜け止め円筒体の外観図
【図１０】抜け止め円筒体の板状突起が弁箱のスリットを貫通して弁体の抜け止め防止用溝に挿嵌される状態を示す説明図
【図１１】図１のノズル及びバキュームホースを除いた本体の縦断面図
【考案を実施するための最良の形態】
【０００８】
発明を実施するための最良の形態を以下に説明する。
図１は、本発明の歯科用吸引装置の外観図である。
図において、１は本発明の吸引装置、２は弁箱、３は弁体、４は回転レバー、５はストッパー、６はノズルホース、７はノズル先、８はノズル継手、９は本体継手、１０はホースカバー、１１はバキュームホース、１３はホース継手、２３は開閉弁を示す。
図示したように、吸引装置１は、円筒型の弁箱２の前後に、本体継手９とノズル継手８を経由してノズルホース６に接続され、 またホース継手１３によりバキュームホース１１が接続されて構成されている。
施術者はホースカバー１０付近を把持し、手指でドラム型の弁体３の回転レバー４を回転させて、弁箱２の流体通路を開閉操作する。
また、歯科用吸引装置の吸引対象は、歯や補綴物の切削、除去等の際に生ずる粉塵や、冷却スプレ−水、その他、唾液、血液等である。
【０００９】
図２は、吸引装置本体の構成部材組図の外観斜視図である。
図において、１２は抜止め円筒体、１４は弁体の挿嵌孔を示す。
ただし、図２には前記ノズルホース６は省略されており、また抜止め円筒体１２は弁箱２の内部にあるため図１には示されていない。
【００１０】
図３は円筒型弁箱の外観斜視図である。
図において、２ａは円筒壁、１５は流体通路孔、１６はスリット、１７は抜止め円筒体の挿入溝を示す。
【００１１】
図４は、円筒型弁箱の外観図で、（ａ）は正面図、（ｂ）は側面図、（ｃ）は上面図、（ｄ）は下面図である。
図５は、円筒型弁箱の断面図である。
図５の図（ａ）は、図４の図（ａ）のＡ−Ａ断面図、
図５の図（ｂ）は、図５のＢ−Ｂ断面図、
図５の図（ｃ）は、図５のＣ−Ｃ断面図を示す。
【００１２】
図示したように、弁箱２は肉厚の円筒型であり、同円筒の円筒壁（２ａ）に直交して後記ドラム型の弁体３の軸が回動自在に挿嵌される貫通孔１４を有し、また、前記弁箱２のその先に接続されるノズルホースとの間に配置される本体継手（９）との接続部には、流体貫通孔１５の外側に前記抜け止め円筒体１２（図８）を挿設するための、抜け止め円筒体の挿入溝１７が刻設され、
かつ、該溝は、前記挿嵌されたドラム型の弁体３の抜け止め防止用溝（１９：図６、７）の真上の位置の部分のみに矩形状のスリット１６が開口され、前記抜け止め防止用の溝１９に至るまで貫通されている（図４（Ｃ）、図５（ａ）、（ｂ））。
また、弁体３の貫通孔１４の挿入口及び出口の部分は少し凹んでおり、その中の周辺４カ所に弁体３の回転レバー４（図１、図２）用の低い突起状のストッパー５が設けられている。
【００１３】
図６は、ドラム型弁体の外観斜視図である。
図において、１８は流体通路の貫通孔、１９は抜け止め防止用溝、２０はＯリング用溝を示す。
弁体３は、ドラム型（以下円柱という）円柱の軸心に直交して貫設された流体通路の貫通孔１８を中央に備え、また、前記円柱両端部の外周には、抜け止め防止用溝１９及びＯリング用溝２０が刻設され、かつ円柱の片側端面には、弁体を軸を中心に回動させる回転レバー４が軸心に直交して固設されてなる。
本弁体３は前述したように、弁箱２の貫通孔１４に挿嵌され、回転レバー４のみが弁箱２の円筒の外に露出される（図１、図１１）。
【００１４】
図７は、ドラム型弁体の外観図である。
図７の図（ａ）は、正面図、図（ｂ）は上面図、図（ｃ）は側面図を示す。
【００１５】
図８は、抜け止め円筒体の外観斜視図である。
図において、１２’は円筒体の内径、２１は板状突起を示す。
抜け止め円筒体１２は、図のように円筒の外周の片側端の一部が相対した板状突起２１を形成する。
本抜け止め円筒体１２は前述したように、弁箱２の挿入溝１７より挿嵌され、前記板状突起２１は前記矩形状のスリット１６を貫通して垂直に弁体３の抜け止め防止用溝１９に挿嵌される。
【００１６】
図９は、抜け止め円筒体の外観図である。
図９の図（ａ）は正面図、図（ｂ）は上面図、図（ｃ）は側面図を示す。
【００１７】
図１０は、抜け止め円筒体の板状突起が弁箱のスリットを貫通して弁体の抜け止め防止用溝に挿嵌される状態を示す説明図である。
図において、図（ａ）及び図（ｃ）の仮想線は、挿入時の箱体２の断面を示す。
抜け止め円筒体１２は、前記箱体２の抜止め円筒体の挿入溝１７より溝の底面迄挿入されるが、このとき、前記弁箱２の外壁２ａに直交して挿嵌されている弁体３の抜け止め防止用の溝１９の真上の位置の部分のみは矩形状のスリット１６が開口されているので、
前記板状突起２１は弁箱２の矩形状のスリット１６を貫通して垂直に前記弁体３の抜け止め防止用溝１９に挿嵌される（図５、図１１参照）。
【００１８】
上記によって、ドラム型の弁体３はレバー４により回転するが、左右には動かないため、操作時完全な抜け止め作用がある。
即ち吸引装置は、ドラム型の弁体３とその抜け止め防止機構を備えている。
そして清掃時には、弁箱２に螺合され、かつ抜け止め用円筒体１２を上から押さえている本体継手９（図１１）を取り外せば抜け止め円筒体１２を取り出すことができるため、弁体３を横方向に弁箱２から引き出して容易に清掃することができる。
【００１９】
図１１は図１のノズル及びバキュームホースを除いた本体の縦断面図である。
図において、２２は流体通路を示す。
また、本縦断面図には図２に示した各構成部材が組み込まれている。
即ち、弁箱２と弁体３及び抜け止め円筒体１２を主体とし、弁箱２の前方には本体継手９とノズル継手８とが着脱可能に装着され、また弁箱２の後方にはホース継手１３とホースカバー１０が着脱可能に装着される。
【符号の説明】
【００２０】
１：本発明の吸引装置
２：弁箱
２ａ：円筒壁
３：弁体
４：回転レバー
５：ストッパー
６：ノズルホース
７：ノズル先
８：ノズル継手
９：本体継手
１０：ホースカバー
１１：バキュームホース
１２：抜止め円筒体
１２’：円筒体の内径
１３：ホース継手
１４：弁体の挿嵌孔
１５：流体通路孔
１６：スリット
１７：抜止め円筒体の挿入溝
１８：流体通路の貫通孔
１９：抜け止め防止用溝
２０：Ｏリング用溝
２１：板状突起
２２：流体通路
２３：開閉弁
【図１】
0003165571.tif 000003
【図２】
0003165571.tif 000004
【図３】
0003165571.tif 000005
【図４】
0003165571.tif 000006
【図５】
0003165571.tif 000007
【図６】
0003165571.tif 000008
【図７】
0003165571.tif 000009
【図８】
0003165571.tif 000010
【図９】
0003165571.tif 000011
【図１０】
0003165571.tif 000012
【図１１】
0003165571.tif 000013